【事件の表示】
　特許第３０３１４６３号「入浴剤組成物」の請求項１、２に係る特許に対する特許異議の申立てについて、次のとおり決定する。
【結　論】
　訂正を認める。
　特許第３０３１４６３号の請求項１ないし２に係る特許を維持する。
【理　由】
１．手続の経緯
　本件特許第３０３１４６３号発明は、平成１年７月２６日に特許出願した特願平１−１９１３０６号の一部を平成１１年１月２６日に新たな特許出願としたものであって、平成１２年２月１０日にその特許の設定登録がなされ、その後、アース製薬株式会社より特許異議申立がなされ、当審より取消理由通知がなされ、その指定期間内である平成１３年３月２７日に訂正請求がなされたものである。　
　　
２．訂正の適否についての判断
(a) 訂正の内容
訂正事項ａ
　 特許請求の範囲の請求項１の
「入浴剤に、炭酸アルカリ塩とともにリン脂質０.１〜３０重量%及びＨＬＢ値１０以上の親水性ノニオン界面活性剤を配合したことを特徴とする入浴剤組成物。」を
「入浴剤に、炭酸アルカリ塩とともにリン脂質１〜２０重量％及びリン脂質量に対し１〜１００重量％の、ＨＬＢ値１０以上の親水性ノニオン界面活性剤を配合したことを特徴とする入浴剤組成物。」と訂正し、
訂正事項ｂ
　明細書【０００７】の
「すなわち、本発明は…提供するものである。」を、
「すなわち、本発明は、入浴剤に、炭酸アルカリ塩とともにリン脂質１〜２０重量％及びリン脂質に対し１〜１００重量％の、ＨＬＢ値１０以上の親水性ノニオン界面活性剤を配合したことを特徴とする入浴剤組成物を提供するものである。」と訂正し、
訂正事項ｃ
　明細書【０００９】の「このリン脂質の含有量は…5〜100ppmの範囲で選ばれる。」を
「このリン脂質の含有量は、通常入浴剤全量に対し、１〜２０重量％の範囲で選ばれる。この含有量が少なすぎると本発明の効果が十分に得られないし、また、多すぎてもさほど効果の向上は望めず経済的でなく、また配合が困難となったり、経時的な吸湿、変質などにより安定性をそこなうなどの不都合を招くおそれがある。
　前記リン脂質の浴湯使用濃度は通常5〜100ppmの範囲で選ばれる。」
と訂正するものである。
　　
(b) 訂正の目的の適否、拡張・変更の存否、及び新規事項の追加の有無　　
　上記訂正事項ａは、特許請求の範囲に記載されたリン脂質及びＨＬＢ値１０以上の親水性ノニオン界面活性剤の配合割合を願書に添付された明細書（以下特許明細書という。）【０００９】に「このリン脂質の含有量は、通常入浴剤全量に対し、０.１〜３０重量％、好ましくは１〜２０重量％の範囲で選ばれる。」、同【００１９】に「このノニオン界面活性剤の添加量は、リン脂質に対し、通常１〜１００重量％、好ましくは５〜５０重量％の範囲で選ばれる。」と記載されている範囲に限定したものであるから、特許明細書に記載された範囲内のものであって、特許請求の範囲の減縮に該当し、
　訂正事項ｂ及びｃは、特許請求の範囲の訂正に伴って、発明の詳細な説明の欄の記載を整合させたものであることから、明りょうでない記載の釈明に該当する。
　また、これらの訂正は実質上特許請求の範囲を拡張し、又は変更するものでもない。
　以上のとおりであるから、上記訂正請求は、特許法第１２０条の４第２項及び同第２項及び第３項において準用する同法第１２６条第３項の規定に適合するので、当該訂正を認める。
　　　　
３．特許異議申立についての判断　
イ、本件発明は、訂正された特許明細書の記載からみて、その特許請求の範囲に記載されたとおりの
「【請求項１】　入浴剤に、炭酸アルカリ塩とともにリン脂質１〜２０重量％及びリン脂質量に対し１〜１００重量％の、ＨＬＢ値１０以上の親水性ノニオン界面活性剤を配合したことを特徴とする入浴剤組成物。
【請求項２】　さらに有機酸を含有する請求項１記載の入浴剤組成物。」
と認められる。
　
ロ、異議申立の概要
　異議申立人は、甲第１号証（特開昭６３−９３７１１号公報）、甲第２号証（特開昭６３−２５０３１６号公報）、甲第３号証（特開昭６２−１６１７１０号公報）、甲第４号証（理化学辞典、第４版、１９８７年岩波書店発行、１２２２頁）、甲第５号証（特開昭６０−１４６８１２号公報）及び甲第６号証（特開昭６１−２２７５１９号公報）を提出して、本件発明は、甲第１〜６号証に記載された発明に基づいて当業者が容易に発明をすることできたものであるから、同法第２９条第２項の規定に違反してされたものであり、特許法第１１３条第１項第２号の規定により取り消されるべきであると主張している。
　
ハ、証拠記載の発明  
　甲第１号証には、炭酸ガス又は炭酸ガス発生物と油性成分を配合した入浴剤（特許請求の範囲第１項）が記載され、炭酸ガス発生物は、反応によって炭酸ガスを発生するもの、すなわち炭酸塩と酸との組合せであって、炭酸塩として炭酸水素ナトリウム、セスキ炭酸ナトリウム（３頁右上欄）が、油性成分としては油脂類、ロウ類、炭化水素類、高級脂肪酸類、高級アルコール類、エステル類、及びシリコーン油類（４頁左上〜左下欄）が例示され、入浴剤に油性成分の分散剤又は乳化剤を含有させることが好ましく、分散剤又は乳化剤としてはアニオン性・カチオン性・ノニオン性、天然・合成のいずれの界面活性剤も使用できる旨（４頁左下欄から５頁右上欄）が記載されている。そして、セタノール３重量部、流動パラフィン１７重量部、モノステアリン酸グリセリド５重量部等に水２００重量部を加えて乳化した後、スプレードライして得た粉末に炭酸水素ナトリウム、炭酸ナトリウム、コハク酸等を配合した入浴剤の処方例（実施例３）、及び入浴剤の効果として、炭酸ガスの作用により肌の血行を促進し、優れた浴用効果を示すだけでなく、配合された油性成分が浴湯中に分散し、肌に付着することにより肌に油分を補い入浴後の肌をしっとりさせ、良好な湯上がり感を示すことが記載されている。
　甲第２号証には、アルカリ金属またはアルカリ土類金属の炭酸塩、セスキ炭酸塩、重炭酸塩の一種又は二種以上と、リン酸二水素カリウムと、さらに必要なときは他の浴用成分ならびに賦形剤、吸湿防止剤、香料、色素とを配合した浴用剤（特許請求の範囲）が記載され、浴用剤の構成成分である油性成分としてレシチンが大豆油、米ヌカ油、流動パラフィン、スクワレンと並んで例示されている（１頁右下欄）。
　甲第３号証には、分離大豆タンパクを主成分とし、分離大豆タンパクに対し大豆レシチンが０.５〜５.０重量％含有する皮膚栄養組成物及びこの組成物を主成分とする浴剤が記載されている。この浴用剤には必要に応じて、塩化ナトリウム、炭酸水素ナトリウム、炭酸ナトリウム、硫酸ナトリウムなどの無機塩類を添加できること（３頁左上欄）が記載されている。
　甲第４号証には、ホスファチジルコリンはレシチンともいい、また、ホスファチジルエタノールアミンと共にろう様の物質で代表的なリン脂質であることが記載されている。
　甲第５号証には、卵黄リン脂質５％、グリセリン８０％、ジエチレングリコール１５％含有する増粘ゲル化剤組成物を流動パラフィン、イソプロピルミリステートと共に配合したバスミルク（実施例４）が記載されている。
　甲第６号証には、常温で液状でありＨＬＢ８以下の親油性非イオン性界面活性剤と常温でＨＬＢ１０以上の親水性非イオン性界面活性剤との合計が該浴用剤全重量中６〜２５重量％であり、常温で液状の油分５０〜９２重量％と水０.１〜１０重量％とを含有し、且つ該親油性非イオン性界面活性剤と該非イオン性界面活性剤との比が１：４〜３：１重量比である浴用剤（特許請求の範囲第１項）が記載され、その効果として、使用時において、やすらぎ感や浴湯のマイルド感をもたらし、且つ入浴後は肌をすべすべとしたり、肌をしっとりさせたり、風呂上りの保温効果が優れている旨（４頁右下欄）記載されている。
　
ニ、 対比・判断
　本件請求項１に係る発明と甲第１号証に記載の入浴剤とを対比する。
　甲第１号証の実施例３の入浴剤においてセタノール、流動パラフィンは油性成分であること、モノステアリン酸グリセリドがノニオン界面活性剤であること、炭酸水素ナトリウム及び炭酸ナトリウムが炭酸アルカリ塩であることは明らかであるから、両者は炭酸アルカリ塩、ノニオン界面活性剤を含有する入浴剤である点で一致し、前者は配合割合を１〜２０重量％と限定したリン脂質を必須成分とし、ノニオン界面活性剤をリン脂質量に対し１〜１００重量％のＨＬＢ値１０以上の親水性ノニオン界面活性剤と限定しているのに対して、後者は入浴剤に油脂類等の油性成分を含有することが記載されているものの、リン脂質を配合すること及びノニオン界面活性剤が配合割合を限定した親水性界面活性剤であることについては記載されていない点で相違する。
　そこで、この相違点について検討する。
　浴用剤（入浴剤）における油性成分としてリン脂質であるレシチン（甲第４号証）が用いられることは甲第２号証に記載されているが、リン脂質を単なる油性成分として配合しているに過ぎず、親水性ノニオン界面活性剤及び炭酸アルカリ塩と共に配合することによる効果については何等記載されてない。甲第３号証には必要に応じて、炭酸水素ナトリウム、炭酸ナトリウム、などの無機塩類を添加できる大豆タンパクと大豆レシチンを配合した入浴剤は記載されているが、ノニオン界面活性剤を入浴剤に配合しうることは記載されていない。甲第５号証には卵黄リン脂質を含有する増粘ゲル化剤組成物を液状の油性成分である流動パラフィン、イソプロピルミリステートと共に配合したバスミルクが記載されているものの、リン脂質及びノニオン界面活性剤を配合することについては何等記載されていない。甲第６号証には、常温でＨＬＢ１０以上の親水性非イオン性界面活性剤を配合した入浴剤が記載されているが、これはＨＬＢ８以下の親油性非イオン性界面活性剤と併用して、常温で液状の油分を分散するものであって、常温で固体（ろう様）のリン脂質を配合することは示唆もされていない。
　つまり、入浴剤の油性成分としてリン脂質を用いることが甲第２号証に記載されていることから、入浴剤にこれを単に油性成分としての効果を期待して配合することは当業者が容易に想到することができるとしても、リン脂質について、甲第１号証には、油性成分としての例示にも示されてなく、甲第２〜６号証にもリン脂質とＨＬＢ１０以上の親水性ノニオン界面活性剤を特定の割合で配合することによるリン脂質を浴湯中に分散し、皮膚表面に均一に吸着しやすくさせるという特有の効果については何等記載されていないのである。
　ところで、本件請求項１に係る発明は、炭酸アルカリ塩とともにリン脂質１〜２０重量％及びリン脂質量に対し１〜１００重量％の、ＨＬＢ値１０以上の親水性ノニオン界面活性剤を配合することによって、特許明細書及び平成１３年３月２７日付け特許異議意見書に記載されているように油性成分であるホホバ油を配合した入浴剤より保温効果、しっとり感、スベスベ感に優れ、ノニオン界面活性剤の特定した配合割合の場合、その範囲外よりリン脂質の分散性が優れているという顕著な効果を奏するものである。　
　してみると、本件請求項１に係る発明は、甲第１号証に記載の入浴剤において、甲第２、３及び５号証に記載されている入浴剤に用いられているリン脂質、及び甲第６号証に記載されている親油性と親水性ノニオン界面活性剤を併用するのではなく、ＨＬＢ１０以上の親水性ノニオン界面活性剤を配合することによって、リン脂質を良く分散させることなど、本件特許明細書に記載の効果は予想できるものではない。
　したがって、本件請求項１に係る発明は、甲第１号証〜甲第６号証に記載された発明に基づいて当業者が容易に発明をすることができたものとは認められない。
　また、請求項２に係る発明は、請求項１に係る発明をさらに技術的に限定したものであるから、上記理由によって甲第１〜６号証に記載された発明に基いて当業者が容易に発明をすることができたものではない。
　　
４．むすび
　以上のとおりであるから、本件特許が特許法第２９条第２項に違反してされたものではない。
　また、本件特許については、他に取消理由を発見しない。
　よって、結論のとおり決定する。　　
【異議決定日】
平成１３年４月２６日（２００１．４．２６）
【訂正の要旨】
訂正事項ａ
　特許請求の範囲の減縮を目的として、特許請求の範囲の請求項１の
「入浴剤に、炭酸アルカリ塩とともにリン脂質０．１〜３０重量％及びＨＬＢ値１０以上の親水性ノニオン界面活性剤を配合したことを特徴とする入浴剤組成物。」を
「入浴剤に、炭酸アルカリ塩とともにリン脂質１〜２０重量％及びリン脂質量に対し１〜１００重量％の、ＨＬＢ値１０以上の親水性ノニオン界面活性剤を配合したことを特徴とする入浴剤組成物。」と訂正し、
訂正事項ｂ
　明りょうでない記載の釈明を目的として、明細書【０００７】の
「すなわち、本発明は…提供するものである。」を、
「すなわち、本発明は、入浴剤に、炭酸アルカリ塩とともにリン脂質１〜２０重量％及びリン脂質に対し１〜１００重量％の、ＨＬＢ値１０以上の親水性ノニオン界面活性剤を配合したことを特徴とする入浴剤組成物を提供するものである。」と訂正し、
訂正事項ｃ
　明りょうでない記載の釈明を目的として、明細書【０００９】の「このリン脂質の含有量は…５〜１００ｐｐｍの範囲で選ばれる。」を
「このリン脂質の含有量は、通常入浴剤全量に対し、１〜２０重量％の範囲で選ばれる。この含有量が少なすぎると本発明の効果が十分に得られないし、また、多すぎてもさほど効果の向上は望めず経済的でなく、また配合が困難となったり、経時的な吸湿、変質などにより安定性をそこなうなどの不都合を招くおそれがある。
　前記リン脂質の浴湯使用濃度は通常５〜１００ｐｐｍの範囲で選ばれる。」
と訂正するものである。
（５４）【発明の名称】
入浴剤組成物
（５７）【特許請求の範囲】
　【請求項１】　入浴剤に、炭酸アルカリ塩とともにリン脂質１〜２０重量％及びリン脂質量に対し１〜１００重量％の、ＨＬＢ値１０以上の親水性ノニオン界面活性剤を配合したことを特徴とする入浴剤組成物。
　【請求項２】　さらに有機酸を含有する請求項１記載の入浴剤組成物。
【発明の詳細な説明】
　【０００１】
　【発明の属する技術分野】
　本発明は、入浴後における保温効果を高めるだけでなく、皮膚に潤いとスベスべした感触を与えるとともに皮膚の保護効果に優れ、しかも安全性の高いリン脂質を含有する新規な入浴剤組成物に関するものである。
　【０００２】
　【従来の技術】
　入浴剤は、昔から経験的に行われてきた温泉による治療や生薬を利用した薬湯治療の効果に基づき、温湯入浴における温浴効果、すなわち入浴によって温められた身体を保温し、血行を促進して疲労を回復し、冷え性を緩解するなどの効果を助長したり、また、更湯の皮膚に対する刺激を和らげ、浴湯に香りや色などを付けることによって、入浴時の気分を楽しくしたりするなどの目的で開発、使用されてきたが、近年、入浴剤に対する関心が高まり、さらによく温まり、しかも皮膚のためにも良い入浴剤が望まれている。
　【０００３】
　そこで、浴用剤の開発は、温浴の主作用である保温効果を助長するだけではなく、全身の皮膚状態を健全ならしめる手軽なボディケア剤としての効果を付与する方向に展開されており、それに応じて多数の添加剤の利用が検討されている。例えば、グリセリンなどの多価アルコール類により保湿効果を付与したもの、タンパク質分解酵素を配合し清浄作用を高めたもの（特開昭６０−２１５６２１号公報）、油分を配合して皮膚を柔軟にするもの（特開昭５２−６４４１５号公報）、スキンケア効果を有する生薬エキスやビタミン類を配合したもの（特開昭５６−１５６２１０号公報）など多岐に渡っている。
　【０００４】
　しかしながら、これらの手段は、保温効果を助長するためには効果が弱いし、またボディケア効果も十分とはいえない。例えば、多価アルコール類などの保湿剤は水溶性であるため、入浴時には皮膚に残りにくく効果は期待できない。また、保湿剤を多量に用いたり油分を用いたものは、入浴後にべたつき感が残ってさっぱりした湯上がり感が得られないし、またタンパク質分解酵素を用いたものは、皮膚表面の角質を溶解除去するために潤いが失われてかさついてしまうのを免れない。さらに、生薬エキス、ビタミン類を用いたものは効果が弱かったり変質しやすい上に、皮膚を刺激して安全性に問題のあるものが多い。
　【０００５】
　【発明が解決しようとする課題】
　本発明は、このような従来の入浴剤のもつ欠点を克服し、入浴後の保温効果に優れ、しかも安全で皮膚に潤いとスベスべした感触を付与する入浴剤組成物を提供することを目的としてなされたものである。
　【０００６】
　【課題を解決するための手段】
　本発明者らは、このような好ましい性質を有する入浴剤組成物を開発するために種々研究を重ねた結果、入浴剤に炭酸アルカリ塩、リン脂質及び特定のノニオン界面活性剤を加えることにより、その目的を達成しうることを見出し、この知見に基づいて本発明を完成するに至った。
　【０００７】
　すなわち、本発明は、入浴剤に、炭酸アルカリ塩とともにリン脂質１〜２０重量％及びリン脂質量に対し１〜１００重量％の、ＨＬＢ値１０以上の親水性ノニオン界面活性剤を配合したことを特徴とする入浴剤組成物を提供するものである。
　【０００８】
　【発明の実施の形態】
　以下、本発明を詳細に説明する。
　本発明に用いるリン脂質は特に制限されず、動植物の細胞膜の主要構成成分としてのリン脂質など、安全性が高く、広く食品、医薬品、香粧品などに乳化剤、乳化安定剤、エモリエント剤、保湿剤、リンス剤などとして多用されているものが一般的に用いられ、このようなものとしては、例えば次の一般式
　【化１】
　（式中、Ｒ，Ｒ’は脂肪酸残基、Ｘは各種官能基である）
で表わされる物質などが挙げられ、中でもホスファチジルコリン、ホスファチジルエタノールアミン、ホスファチジルセリン、ホスファチジルグリセロール、ホスファチジルイノシトール及びこれらの水素添加物からなる群より選ばれる１種又は２種以上の混合物が好ましい。
　【０００９】
　このリン脂質の含有量は、通常入浴剤全量に対し、１〜２０重量％の範囲で選ばれる。この含有量が少なすぎると本発明の効果が十分には得られないし、また、多すぎてもさほど効果の向上は望めず経済的ではなく、また配合が困難となったり、経時的な吸湿、変質などにより安定性をそこなうなどの不都合を招くおそれがある。
　前記リン脂質の浴湯使用濃度は通常５〜１００ｐｐｍの範囲で選ばれる。
　【００１０】
　前記ホスファチジルコリン、ホスファチジルエタノールアミン、ホスファチジルセリン、ホスファチジルグリセロール、ホスファチジルイノシトールはそれぞれ下記の各一般式で表わされる物質である。
　【００１１】
　【化２】
　【００１２】
　【化３】
　【００１３】
　【化４】
　【００１４】
　【化５】
　【００１５】
　【化６】
　【００１６】
　これら天然のリン脂質は熱や酸化により変質しやすい欠点があるが、これらに水素添加を施したものは熱や酸化に対する安定性が良好である上に、本発明の効果になんら悪影響を及ぼさない。また、天然物から抽出されたリン脂質粗精製物のうち、リン脂質含量の高いもの（前記リン脂質の合計含有量が１０重量％以上のものが好ましい）であるならば同様に本発明のリン脂質として用いることができ、このようなものとしては、例えば大豆抽出リン脂質、卵黄抽出リン脂質のように既に工業的に生産されているものや、小麦、ピーナッツ、トウモロコシ、牛肝臓、畜肉、魚類などから抽出されたリン脂質、微生物由来のリン脂質などが挙げられる。
　【００１７】
　本発明に用いるノニオン界面活性剤は、非イオン性界面活性剤のうちＨＬＢ値１０以上の親水性のものすなわちＨＬＢ値１０以上の親水性ノニオン界面活性剤であって、リン脂質が弱い界面活性能を有しており、浴湯に添加した場合、ある程度は分散、懸濁化するものの、ホスファチジルエタノールアミンのように分散しにくいものもあるところ、リン脂質を浴湯中に分散し、皮膚表面に均一に吸着しやすくさせ、それにより、本発明の効果を十分に発揮させるものである。
　【００１８】
　このノニオン界面活性剤としては、例えばポリグリセリン脂肪酸エステル類、ＰＯＥソルビタン脂肪酸エステル類、ＰＯＥソルビット脂肪酸エステル類、ＰＯＥグリセリン脂肪酸エステル類、ＰＯＥ脂肪酸エステル類、ＰＯＥアルキルエーテル類、ＰＯＥアルキルフェニルエーテル類、ＰＯＥ・ＰＯＰアルキルエーテル類、ＰＯＥヒマシ油類、ＰＯＥ硬化ヒマシ油類などが挙げられ、中でもポリグリセリン脂肪酸エステル類が好ましい。
　【００１９】
　このノニオン界面活性剤の添加量は、リン脂質量に対し、通常１〜１００重量％、好ましくは５〜５０重量％の範囲で選ばれる。この添加量が１重量％未満ではリン脂質を十分には分散させることができないし、また、１００重量％を超えると浴湯表面に該界面活性剤による泡が浮き出し、外観上好ましくないばかりか、該界面活性剤の作用によってリン脂質の皮膚への付着が妨げられ、本発明のリン脂質の効果が期待できなくなる。該界面活性剤の添加方法は製剤にそのまま添加してもよいが、あらかじめ該界面活性剤とリン脂質を均一に混和したのち、製剤に添加するとさらに効果的である。この場合、均一に混和しやすくするためにエタノールなどの溶媒を添加しても差しつかえない。
　【００２０】
　本発明に用いる炭酸アルカリ塩としては、易水溶性の塩、例えば炭酸ナトリウム、炭酸カリウム、炭酸水素ナトリウム、炭酸水素カリウムなどが適しており、その添加量は通常入浴剤全量に対し、２０〜９０重量％とするのがよい。
　【００２１】
　本発明の組成物においては、炭酸アルカリ塩に加え有機酸を併用してもよく、それにより肌に対する効果が相乗的に向上する。
　この併用型のものは水分（湯）と反応して炭酸ガスを発生するため、多用されているが、これとリン脂質を併用すると、リン脂質は炭酸ガスの細かな気泡によって分散され、さらにリン脂質の持つ界面活性能によって炭酸ガスの泡を保持し、浴湯表面にクリーム状の泡の層を形成する。入浴に際して、このリン脂質の泡は肌の表面に薄膜を形成しながら、付着し、単にリン脂質を浴湯に分散させて入浴した場合よりも効果的に皮膚表面に作用させることができる。
　【００２２】
　有機酸としては、水溶性のフマル酸、コハク酸、クエン酸、リンゴ酸、シュウ酸、酒石酸などが適しており、上記併用時におけるその添加量は通常入浴剤全量に対し、１０〜８０重量％とするのがよい。さらに、その剤型は粉末状、か粒状、錠剤のいずれでもよい。
　【００２３】
　本発明の入浴剤組成物には、上記成分の他に、必要に応じ、香料、色素を始め、無機塩及び無機酸・アルカリ類、生薬、海藻類、粘着剤、精油類、油類、ビタミン類、アミノ酸類、酵素類、保湿剤、その他の任意添加成分を含有させることもできる。
　【００２４】
　それらの具体例を以下に示すと、香料及び色素は、多数あり、特に制限されないが、使用者が適宜選択しうるように数種類用意するのが好ましい。
　【００２５】
　無機塩及び無機酸・アルカリ類としては、例えば塩化ナトリウム、塩化カリウム、塩化アンモニウム、炭酸カルシウム、炭酸マグネシウム、硫酸ナトリウム、硫酸アルミニウム、硫酸鉄、チオ硫酸ナトリウム、チオ硫酸カリウム、次亜硫酸ナトリウム、硝酸ナトリウム、硝酸カリウム、硝酸カルシウム、リン酸ナトリウム、ポリリン酸ナトリウム、リン酸水素カルシウム、イオウ、硫化ナトリウム、硫化カリウム、亜硫化鉄、無水ケイ酸、メタケイ酸、雲母末、中性白土、水酸化ナトリウム、水酸化カルシウム、ホウ砂、ホウ酸、酸化カルシウム、臭化カリウム、過マンガン酸カリウム、人工カルルス塩、鉱砂、湯の花などが挙げられる。
　【００２６】
　生薬としては、例えばアロエ、ウイキョウ、エイジツ、オウギ、オウゴン、オウバク、オウレン、オンジ、カイカ、ガイシ、ガイヨウ、カゴソウ、ガジュツ、カッコン、カノコソウ、カミツレ、カロコン、カンゾウ、キキョウ、キササゲ、キジツ、キッピ、キョウニン、クジン、ケイガイ、ケイヒ、ケツメイシ、ケンゴシ、ゲンノショウコ、コウカ、コウジュ、コウジン、コウブシ、コウボク、ゴシツ、ゴシュユ、ゴミン、サイカチ、サイコ、サイシン、ザクロヒ、サフラン、サンキライ、サンシシ、サンシュユ、サンショウ、サンヤク、ジオウ、シコン、シャクヤク、シャゼンシ、ジュウヤク、ショウキョウ、ショウブ、ショウマ、セイヨウノコギリソウ、セッコツボク、セネガ、センキュウ、センコツ、センブリ、ソウジュツ、ソウハクヒ、ソヨウ、ダイオウ、ダイコン、タイソウ、タクシャ、チクセツニンジン、チモ、チョウジ、チョレイ、チンピ、トウガラシ、トウキ、トウニン、トウヒ、ニガキ、ニンジン、ニンドウ、バクモンドウ、ハッカ、ハマボウフウ、ハンデ、ビャクシ、ビャクジュツ、ビワ、ブクリョウ、ボウイ、ボウコン、ボウフウ、ボダイジュ、ボタンピ、ホップ、マオウ、マツブサ、マロニエ、モクツウ、モッコウ、モモ、ヨクイニン、ランタナ、リュウタン、レンギョウ、ローズマリーなどが挙げられる。これらは通常粉末状や抽出エキス状で用いられる。
　【００２７】
　海藻類としては、例えばアナアササ、ミル、ウスバアオノリ、ヒトエグサ、スジアオノリ、カサノリ、ヘライワツダ、ハネモ、ナガミルなどの緑藻植物；ウミウチワ、アミジグサ、モズク、イロロ、マツモ、イワヒゲ、ハバノリ、ウルシグサ、カジメ、マコンブ、ワカメ、ヒジキ、アラメ、ホンダワラ、ウミトラノオ、スギモリ、オオバモリなどの褪藻植物；アルバアマノリ、アサクサノリ、スサビノリ、ウミゾウメン、ヒラクサ、マクサ、トリアシ、ハナフノリ、フクロノリ、ヒカデノリ、トサカノリ、トゲキリンサイ、アカバギンナンソウ、コトジツノマタ、ツノマタ、アヤニシキ、マクリ、エゴノリ、オゴノリ、イバラノリなどの紅藻植物などが挙げられる。これらは通状粉末抽出エキス状で用いられる。
　【００２８】
　粘着剤としては、例えばガイセン、カルボキシメチルセルロースナトリウム、水溶性ゼラチン、ペクチン、デンプン、メチルセルロース、エチルセルロース、アルギン酸ナトリウム、ポリビニルアルコール、ポリビニルピロリドン、ポリビニルメチルエーテル、ポリエチレングリコール、カラヤゴム、ローカストビーンガム、トラカントガム、カラギナン、カーボポール、アカシヤガム、カンテンなどが挙げられる。
　【００２９】
　精油類としては、例えばハッカ油、ジャスミン油、ショウ脳油、ヒノキ油、トウヒ油、リュウ油、テレビン油、ケイ皮油、ベルガモット油、ミカン油、ショウブ油、パイン油、ラベンダー油、ベイ油、クローブ油、ヒバ油、バラ油、ユーカリ油、レモン油、タイム油、ペパーミント油、ローズ油、セージ油、メントール、シネオール、オイゲノール、シトラール、シトロネラール、ボルネオール、リナロール、ゲラニオール、カンファー、チモール、スピラントール、ピネン、リモネン、テルペン系化合物などが挙げられる。
　【００３０】
　油類としては、例えばオリーブ油、大豆油、アーモンド油、落花生油、ヒマシ油、ヤシ油、パーム油、タートル油、ヌカ油、アボガド油、ミンク油、卵黄油、牛脂、ラノリン、スクワレン、ホホバ油、シリコーン、流動パラフィン、ワセリン、パラフィンなどが挙げられる。
　【００３１】
　ビタミン類としては、例えばビタミンＡ、ビタミンＢ群、ビタミンＣ、ビタミンＤ、ビタミンＥ、ビタミンＦ、ビタミンＫ、ビタミンＰ、ビタミンＵ、カルニチン、フェルラ酸、γ−オリザノール、α−リポ酸、オロット酸及びその誘導体などが挙げられる。
　【００３２】
　アミノ酸としては、例えばグリシン、アラニン、バリン、ロイシン、イソロイシン、セリン、トレオニン、フェニルアラニン、チロシン、トリプトファン、シスチン、システイン、メチオニン、プロリン、ヒドロキシプロリン、アスパラギン酸、グルタミン酸、アルギニン、ヒスチジン、リジン及びその誘導体などが挙げられる。
　【００３３】
　酵素としては、例えばペプシン、トリプシン、キモトリプシン、カテプシン、パパイン、プロメライン、フイシン及び細菌酵母、カビ由来のプロテアーゼなどが挙げられる。
　【００３４】
　保湿剤としては、例えばプロピレングリコール、グリセリンなどの多価アルコール、ペプチド、ポリアミノ酸、コラーゲン加水分解物及びその誘導体、ヒアルロン酸などのムコ多糖類、核酸、エラスチンなどのタンパク質及びその誘導体などが挙げられる。
　【００３５】
　本発明の入浴剤組成物は、以上の成分の中より選ばれたものを混合することによって調製される。
　本発明の入浴剤組成物が前記のような保温効果及びスキンケア効果を有する理由は定かではないが、浴湯中に分散したリン脂質は皮膚表面の蛋白質と極めて親和性が良く、皮膚表面に薄膜を形成し、一度形成されたリン脂質の薄膜は容易に脱離しないため、入浴後において、水分の蒸散を抑え、身体内部の熱を外に逃がさないように作用し、保温効果が得られ、また皮膚に対する保湿効果も永く持続するため、肌の潤いを保ち、入浴後の肌によく見られるカサツキや肌荒れを防ぐ等の効果が得られ、さらに、リン脂質の脂肪酸残基部分は皮膚に対して適度の加脂効果を示し、皮膚を保護するとともに、べたつかずスベスべした感触を与えるものと推測される。
　【００３６】
　【実施例】
　次に実施例によって本発明をさらに詳細に説明するが、本発明はこれらの例によって何ら限定されるものではない。
　【００３７】
実施例１、２、比較例１〜５
　表１に示す組成成分の入浴剤組成物を調整し、その性能を更湯と比較して評価した。評価方法を以下に示し、評価結果を組成物の組成成分との関連で表１に示す。
　評価方法：
　評価者１０名（健常人・男性４名、女性６名、２５〜４５才）により、入浴剤組成物を各々２日ずつ連用し、入浴剤組成物未使用の場合と比較評価した。入浴剤組成物濃度は２００ｐｐｍ（２００リットルの湯に４０ｇ添加）、湯の温度は約４０℃とし入浴前に全身洗浄し、入浴時間は約１０分とした。タオルドライ後、１０分後に肌の「しっとり感（潤い）」、３０分後に「保温効果」の程度と肌の「スベスベ感（滑らかさ）」を表２に示す基準で評価した。
　【００３８】
　【表１】
　【００３９】
　【表２】
　【００４０】
　【発明の効果】
　本発明の入浴剤組成物は、温湯入浴による保温効果を助長し、しかも、入浴後の肌にしっとりとした潤いとスベスべした感触の滑らかさを付与しうるので、身体的及び精神的満足感を使用者に与えることができ、しかも、リン脂質は生体細胞膜の主要構成成分であることから、安全性が極めて高いなどの利点を有する。